(57)【要約】      （修正有）【課題】ぶどう等の枝や蔓の誘引を簡単且つ確実に行える誘引用クリップ及び誘引方法を提供する。【解決手段】誘引クリップは、基端側のつまみ部２ｂ，３ｂを弾力的に開閉させて先端側の把持部６により誘引線を弾力的に把持する一対のクリップ片２，３を備えたクリップであって、該クリップ片２，３の一方の把持部側にＵ字状に湾曲しその内部に誘引すべき枝類を収容して誘引線に対して位置決めをするフック部７を設けてなる。上記クリップ片２，３同士の把持部６の把持面の少なくとも片側に長手方向に並ぶ複数段の凹凸を設け、誘引線に対する把持位置を選択して調節可能な機構とした。【選択図】図２
2016106527.tif 000002
【特許請求の範囲】
【請求項１】
基端側のつまみ部（２ｂ），（３ｂ）を弾力的に開閉させて先端側の把持部（６）により誘引線（１７）を弾力的に把持する一対のクリップ片（２），（３）を備えたクリップであって、該クリップ片（２），（３）の一方の把持部側にＵ字状に湾曲しその内部に誘引すべき枝類（１４）を収容して誘引線（１７）に対して位置決めをするフック部（７）を設けてなる枝類の誘引用クリップ。
【請求項２】
クリップ片（２），（３）同士の把持部（６）の把持面の少なくとも片側に長手方向に並ぶ複数段の凹凸（６ａ），（６ｂ）を設け、誘引線（１７）に対する把持位置を選択して調節可能な機構とした請求項１に記載の枝類の誘引用クリップ。
【請求項３】
フック部（７）の軸（７ａ）を一対のクリップ片（２），（３）の把持部（６）の先端側に突出させて山形に湾曲させ、枝類（１４）を押え方向に係止する状態で内側に収容する機構とした請求項１又は２に記載の枝類の誘引用クリップ。
【請求項４】
フック部（７）の軸（７ａ）の基端部をクリップ片（２ａ）に沿って挿入し、クリップ片（２ａ）に対して回動可能に取付けてなる請求項１〜３のいずれかに記載の枝類の誘引用クリップ。
【請求項５】
フック部（７）のＵ字状の湾曲部の少なくとも内側に弾力性を有するラバー（９）を被覆してなる請求項１〜４のいずれかに記載の誘引用クリップ。
【請求項６】
フック部（７）のＵ字形に折返した折返し端に把持部（６）によって把持された誘引線（１７）を受収容し又は当接させて受止めることによりクリップを誘引線（１７）に対して安定的に取付ける補助フック部（８）を、平面視でフック部（７）とクロスする方向に突出させて設けた請求項１〜５のいずれかに記載の誘引用クリップ。
【請求項７】
栽培地に設置された栽培棚（１６）の誘引線（１７）上でクロス方向に支持されている栽培作物の枝類（１４）に対し、請求項１〜６のいずれかに記載のクリップのフック部（７）を上側より下向きに係止してクリップの把持部（６）で上記誘引線（１７）を挟持することによりフック部（７）と誘引線（１７）とで枝類（１４）の断面外周を囲む状態で上記枝類（１４）を誘引線（１７）上で位置決めする枝類の誘引方法。
【請求項８】
フック部（７）の開放端に平面視でフック部（７）とクロスする方向に突出させて設けた上部開放型の補助フック部（８）内に誘引線（１７）を収容し又は受止めさせることにより誘引線（１７）に対しクリップを安定的に取付ける請求項７に記載の枝類の誘引方法。
【発明の詳細な説明】
【技術分野】
【０００１】
この発明はぶどう，キウイフルーツ，ナシ，トマト，きゅうり等の果樹及び野菜類の枝や茎，蔓（以下枝類と総称する）を栽培棚の誘引線上で誘引するための誘引用クリップ及び誘引方法に関する。
【背景技術】
【０００２】
例えばぶどう栽培においては、図１に示すようにぶどうの木（蔓）の主幹１１より両側に側面視Ｔ字形に出させた主幹１２からさらに平面視Ｈ形を形成するように主枝１３を出させ、主枝１３から結果母枝や新梢１４を出させるＨ型仕立てによる短梢剪定が採用されることが多い。このような棚仕立てでは栽培棚１６上に枝が支持され、栽培棚１６を構成し枝を誘引する誘引線１７がその内側に張設され、誘引線１８は主枝１３と誘引線１７を支持する交差方向の誘引線である。
【０００３】
そして従来栽培棚１６上で新梢１４を誘引線に誘引するために新梢１４と誘引線１７の交点を簡単に固定する誘引具として図６に示されるように生分解性の結束テープ１９が知られており、このテープ１９自体の端部の固定は、ステープラ（ホッチキス）止めによっており、ホッチキス針２１により止められる。また、このテープの巻付け固定には例えば市販の「テープナーＡ（ＮＳ）」，「テープナーＢ（ＮＳ）」等の商品が使用されている。これらのテープ止めは葉２２や葉茎２３等を一方の手で排除操作しながら行われる。
【０００４】
その他、栽培棚の誘引線に対して誘引紐を係止して吊り下げるフック（特許文献１）や、横方向の誘引紐にクリップを把持させ、クリップの先端のリング状の保持部に茎を挿通させて誘引するもの（特許文献２図１３）が公知である。
【先行技術文献】
【特許文献】
【０００５】
【特許文献１】特許第４９３１４７３号公報
【特許文献２】特開２０１３−２５５４７６号公報（図１３）
【発明の概要】
【発明が解決しようとする課題】
【０００６】
しかし上記公知技術のうち結束テープによる誘引のものは、テープの誘引線に対する固定力が乏しいために風や新梢の成長により誘引位置がずれるという問題があるほか、テープの保持機構や繰り出しとホッチキス止めを行う機構があるためテープが大型化し（Ｗ×Ｔ×Ｌ＝１５８×３０×３４５）、枝葉の繁った栽培棚の下からの作業では、葉や枝茎，発育枝等を避けながら小さな隙間に挿入して結束することが難しい他、重量がかさむ（本体のみで５２５ｇ）ために作業性が悪いという欠点もある。
【０００７】
また特許文献１のフックは上下方向の誘引紐を吊るすためのものであって枝類を直接誘引するためには使用できず、特許文献２のクリップは枝類を収容するために開閉する一対の半円形リング片と開閉支点の間に誘引紐を挟持する把持部があるために、挟持するものが鋼線やワイヤ等の剛体の場合は、枝類のリング状の保持部が閉じられないという問題があるほか、クリップのリング状保持部の閉鎖時に新梢の表面に保持部のリング片が接触して損傷する等の欠点がある。
【課題を解決するための手段】
【０００８】
上記課題を解決するための本発明のクリップと枝類の誘引方法は、第１に、基端側のつまみ部２ｂ，３ｂを弾力的に開閉させて先端側の把持部６により誘引線１７を弾力的に把持する一対のクリップ片２，３を備えたクリップであって、該クリップ片２，３の一方の把持部側にＵ字状に湾曲しその内部に誘引すべき枝類１４を収容して誘引線１７に対して位置決めをするフック部７を設けてなることを特徴としている。
【０００９】
第２に、クリップ片２，３同士の把持部６の把持面の少なくとも片側に長手方向に並ぶ複数段の凹凸６ａ，６ｂを設け、誘引線１７に対する把持位置を選択して調節可能な機構としたことを特徴としている。
【００１０】
第３に、フック部７の軸７ａを一対のクリップ片２，３の把持部６の先端側に突出させて山形に湾曲させ、枝類１４を押え方向に係止する状態で内側に収容する機構としたことを特徴としている。
【００１１】
第４に、フック部７の軸７ａの基端部をクリップ片２ａに沿って挿入し、クリップ片２ａに対して回動可能に取付けてなることを特徴としている。
【００１２】
第５に、フック部７のＵ字状の湾曲部の少なくとも内側に弾力性を有するラバー９を被覆してなることを特徴としている。
【００１３】
第６に、フック部７のＵ字形に折返した折返し端に把持部６によって把持された誘引線１７を受収容し又は当接させて受止めることによりクリップを誘引線１７に対して安定的に取付ける補助フック部８を、平面視でフック部７とクロスする方向に突出させて設けたことを特徴としている。
【００１４】
第７に、栽培地に設置された栽培棚１６の誘引線１７上でクロス方向に支持されている栽培作物の枝類１４に対し、請求項１〜６のいずれかに記載のクリップのフック部７を上側より下向きに係止してクリップの把持部６で上記誘引線１７を挟持することによりフック部７と誘引線１７とで枝類１４の断面外周を囲む状態で上記枝類１４を誘引線１７上で位置決めすることを特徴としている。
【００１５】
第８に、フック部７の開放端に平面視でフック部７とクロスする方向に突出させて設けた上部開放型の補助フック部８内に誘引線１７を収容し又は受止めさせることにより誘引線１７に対しクリップを安定的に取付けることを特徴としている。
【発明の効果】
【００１６】
以上のように構成される本発明のクリップ及び枝類の誘引方法によれば次のような効果を奏する。
【００１７】
（１）クリップだけを位置移動又は姿勢変更し、フック部に枝類を収容し又は係止した状態で誘引線を弾力的に把持させることにより誘引の位置決めができるので、特別な操作器具を必要とせず、葉や茎，新梢が繁茂している状態でも簡単な操作で確実に誘引作業ができる。
【００１８】
（２）把持部の把持面に長手方向に並ぶ複数段の凹凸により、クリップの把持深さを枝類の大きさや誘引線との交差状態、他の茎等の生え状態等に応じて調節しながら決められるので、フック部と、クリップの取付けに無理がない状態で取付けることができ、枝や茎等を損傷することなく確実な枝類の誘引固定ができる。
【００１９】
（３）Ｕ字形のフック部を枝類の上側より係止して上下左右から誘引線上に位置決めできるので、誘引線に対して最も望ましい位置決めが確実に行われるほか、フック部の軸部を回動可能に取付けた場合は、フック部の向きが自由になるので、誘引線に対する枝部の交差角の変動に対しても定位置に誘引固定できる。
また、フック部の内側に弾力性を備えたラバーを被覆させることにより、枝類の外周を傷めることがない。
【００２０】
（４）クリップは把持部によって確実に誘引線に取付けられるとともに補助フック部によってももう一方で誘引線に受け止められるので誘引線に対する取付けが安定する。
【図面の簡単な説明】
【００２１】
【図１】一般的なＨ型仕立てのぶどうの栽培（ぶとう）棚を模視的に示す斜視図である。
【図２】本発明のクリップの一例を示す全体斜視図である。
【図３】同じく本発明のクリップの背面（Ａ−Ａ）断面図である。
【図４】本発明のクリップの使用例を示す斜視図である。
【図５】本発明の他の実施例を示すクリップの背面断面図である。
【図６】従来のテープによる誘引方法を示す斜視図である。
【発明を実施するための形態】
【００２２】
図２，図３は本発明のクリップの一実施例を示し、この例ではクリップ本体１はステンレス板等により筒片状（溝状断面）に形成された一対のクリップ片２，３の開放断面側を互いに向き合わせ、両側壁の途中位置に山形に突設した軸支部２ａ，３ａを重ね合わせて支点軸（回動支点部）４で側面視Ｈ型となるように回動開閉可能に軸支されている。
【００２３】
上記支点軸４にはつる巻きバネ５等の弾力手段が外装され、クリップ片２，３の内部に挿入されており、クリップ片２，３は基端部側に設けられたつまみ部２ｂ，３ｂを両側より押圧回動させて閉じ作動させると、常時弾力的に閉じられている先端側の把持部（挟持部）６がつる巻きバネ５の弾力に抗して開かれる一般的な開閉型のクリップを構成している。図示する例では、つまみ部２ｂ，３ｂはクリップ片２，３の基端部にプラスチックをブロック状にモールディングして取付けている。
【００２４】
各クリップ片２，３の先端側の把持面には、溝状断面の向かい合う両側壁に、互いに噛み合う複数段（この例では４個）の鋸歯状の凹凸（歯）６ａ，６ｂが長手方向に並ぶように形成され、一方のクリップ片２の先端には、山形のＵ字形に湾曲形成されたステンレス鋼線等からなるフック部７の軸７ａが当該クリップ片２の溝内にその軸線方向に沿って挿入され、かしめ加工又はスポット溶接等により固着されている。
【００２５】
上記フック部７の軸７ａは抜け止めの機構（図示しない）を付加して少なくとも一定角は回動可能な構成にすることにより、後述する枝類の誘引固定に際し、新梢１４と誘引線１７との交差状態等に対応すべく融通をもたせることも可能である。
【００２６】
上記フック部７の他方の開放部７ｂの端部には、フック部７の後方に折曲げられて突出する側面視Ｌ字形の上部開放型の補助フック部８が形成され、さらに補助フック部８の先端には上向きに突出しながら右向きに折返される折返し端８ａが折曲げ形成されている。  この補助フック部８及び折返し端８ａは、元来フック部７の開放端７ｂの先端が近接する新梢１４等に接触して植物体が損傷するのを防止するものであるが、補助フック部８は後述するように把持部６によって把持された誘引線１７を前後移動を規制されるように収容し又は補助フック部８内でその底辺又は開放部７ｂの下端に当接するように受け止めることにより、枝類の誘引固定をより安定的に保持する効果も備えている。
【００２７】
さらに上記フック部７の開放部７ｂは軸７ａに対し、図示するように開放端側に向って広くなるように逆Ｖ字形に形成されており、新梢１４に係止する際にフック部７内への新梢１４の誘導の案内が容易になる。
【００２８】
また上記山形に湾曲したフック部７は後述するように、誘引すべき枝類を上方から押えるように収容して下向きに係止するもので、その左右方向の湾曲部内には枝類が前後方向に挿通されて収容される。９は上記湾曲部に外装された弾力性のあるプラスチックその他の素材からなるラバーで、フック部７内に挿通される枝類の表面を保護するためのものである。
【００２９】
尚、上記実施例では一種類のクリップのみを図示しているが、実施に当たっては果樹や野菜等の品目や使用目的等に応じて、クリップの各部のサイズやフック部の開放角度等を変更したものを予め準備しておくことによって対応できる。例えば枝の誘引角度を変える場合は軸７ａの長さを伸長することや、剪定枝のような硬くて太い枝を誘引する場合は、軸７ａの長さを伸長すると共にクリップ本体１全体の強度を高めたものを使用し、逆に植物体の枝類が比較的細くて柔らかい場合は小型なものにする等のバリエーションを考慮すればよい。
【００３０】
さらに本実施例ではクリップ片２，３とフック部７を金属製として示したが、これらをプラスチック製として一体成形することによりコストダウンを図ることができ、またクリップ片２，３とフック部７を別成形してフック部７をクリップ本体に対して回動可能に取付けて組合わせることも可能である。同時にクリップの形状や機構は図示するものに限定されるものではなく、例えば支点軸を設けないで特許文献２の図１９に示すように、クリップ片の内側で突き合わさる支点部を設け、外側よりＣ型バネ（弾性手段）で押圧することにより弾力的な開閉を行う機構とすることも可能である。
【００３１】
次に本発明のクリップを用いてぶどうの枝の誘引を行う方法を実施例として説明する。本発明のクリップ及び誘引方法はぶどうのＨ型仕立ての短梢剪定に最も適合させる目的で開発されたが、その適用が可能な限り他の果樹や蔓物の野菜等の誘引にも適用可能なものである。
【００３２】
図４はぶどうの側枝の誘引例を示しており、ぶどう棚の誘引線１７に対して新梢１４がクロス方向に載置された状態で、両者の交差部分を本発明のクリップで誘引固定するものである。この例では先ずクリップのフック部７の開放側を新梢１４の上方から下向きに降ろして新梢１４をフック部７内に収容しながら押え方向に係止し、フック部７と誘引線１７とで新梢１４の外周との間にゆとりを持たせた状態で新梢１４を囲む位置で停止する。
【００３３】
次いでクリップの把持部６を開いた状態から凹凸（歯）６ａ，６ｂの上下範囲を選びながらつまみ部２ｂ，２ｂを開放して把持部６を閉じ、適度な上下左右位置で誘引線１７をクリップする。この時フック部７の開放部７ｂが誘引線１７に当接するとともに補助フック部８内に納まる状態が、新梢１４を安定的に位置決めするのに理想的である。
【００３４】
上記の作業は単純にクリップの姿勢や向き、位置を操作して係止するだけなので、葉２２や葉茎２３又は発育枝２５等に妨げられることなく（これらを押し避けたり折り曲げる必要なく）簡単且つ確実に行うことができる。
【００３５】
なお短梢剪定によるＨ型仕立てでは、この誘引状態は翌年も同様な状態で維持し又は若干の調整をしながら維持されるため、上記クリップは略同一位置に取付けられ、そのまま次のシーズンまで放置することができる。その結果本発明のクリップは材質等に一定の耐候性その他の耐久性をもたせることで繰り返しその場で使用できる利点がある。
【００３６】
図５は本発明のクリップの他の実施例を示すもので、この例ではクリップのフック部７がクリップ本体１の開閉方向に沿って湾曲し、前述したクリップのフック部７の向きを約９０°回転させた姿勢でクリップ片２に固着した点に特徴がある。さらにもう一つの特徴点としては、フック部７の開放部７ｂの先端側に補助フック部８を設けないで、そのまま外側に向って緩やかに開くように延出させ、その先端に折返し端８ａを設けて、または先端を丸くして新梢１４や葉２２，葉茎２３等の密集部に対してこれらを損傷することなく且つ容易に差込み誘引できる構造となっている点である。
【００３７】
この例によれば、把持部６で挟持される誘引線１７の方向と新梢１４の方向が同方向（平行）な場合でも誘引線１７に対して新梢１４をフック部７内に収容して誘引保持することが可能であり、誘引線１７に対する新梢１４の上下位置によってフック部７が新梢（枝類）１４を下向き又は上向きのいずれかに係止・保持することになる。
【００３８】
尚、図５に示す実施例の開放部７ｂと折返し部の構造は図２〜４のクリップにも適用することが可能であるほか、逆に前述したクリップ全体をプラスチック成形する点等の変更例を図５に示す実施例に応用することも可能である。
【符号の説明】
【００３９】
１    クリップ本体
２，３    クリップ片
２ｂ，３ｂ    つまみ部
４    支点軸（回動支点部）
５    つる巻バネ（弾力手段）
６    把持部
６ａ，６ｂ    歯（凹凸）
７    フック部
７ａ    軸
７ｂ    開放部（開放端）
８    補助フック部
８ａ    折返し端
９    ラバー
１４    枝類（新梢）
１７，１８    誘引線
【図１】
2016106527.tif 000003
【図２】
2016106527.tif 000004
【図３】
2016106527.tif 000005
【図４】
2016106527.tif 000006
【図５】
2016106527.tif 000007
【図６】
2016106527.tif 000008